(57)【要約】【課題】消音装置内側の吸音材が、長期間の使用により乾燥排風に含まれる塵埃によって目詰まりを生じ吸音効果が低下したときに、吸音材を清掃し塵埃を取り除くことにより初期の吸音効果を維持継続するとともに衛生状態を良好に保つことにある。【解決手段】本発明の消音装置１２は、外筒１３と多数の通孔１５を設けた内筒１４との空間に、吸音材１６を充填して吸音層を形成するとともに、軸線方向に複数に分割して排風装置ケーシング４の排風側端部に、ケーシング４を外側から挟み込むように形成し、更に充填した吸音材１６が抜け出ないように吸音層の一側端部に塞ぎ板１７を着脱自在に設け、吸音層内部に充填した吸音材１６を取り付け取り外し可能にする。【選択図】図２
2006017314.tif 000002
【特許請求の範囲】
【請求項１】
外筒と多数の通孔を設けた内筒との空間に、吸音材を充填して吸音層を形成するとともに、軸線方向に複数に分割して排風装置ケーシングの排風側端部に、ケーシングを外側から挟み込むように形成し、更に充填した吸音材が抜け出ないように吸音層の一側端部に塞ぎ板を着脱自在に設け、吸音層内部に充填した吸音材を取り付け取り外し可能にしたことを特徴とする、循環型穀粒乾燥機の排風装置における消音装置。
【発明の詳細な説明】
【技術分野】
【０００１】
本発明は、循環する穀粒中に熱風或いは除湿乾燥風を通過させて穀粒を乾燥する、穀粒乾燥機の排風装置から発生する騒音を低減する消音装置に関する。
【背景技術】
【０００２】
機内を循環する穀粒中に、熱風或いは除湿乾燥風を通過させて穀粒を乾燥する循環型穀粒乾燥機は、以前より実用に供せられており公知である。又、排風装置から発生する騒音を低減するため、排風装置に連続して、消音筒の内側に多数の気孔を有する吸音材を円筒状に取り付けた消音装置は、例えば特許文献１参照のとおり公知である。
【０００３】
前記吸音材には一般的にグラスウールやウレタン樹脂等の発泡材等が用いられている。しかし、穀粒乾燥機の排風は湿気を帯びた塵埃を多量に含んでいるため、長期間の使用により前記吸音材の気孔部分に、塵埃が目詰まりして吸音効果が低下したり、又、一般的には穀粒の乾燥は一年の内でも収穫時期に限られているので、乾燥作業後、長期間使用せずに放置しておくと、目詰まりした塵埃が腐敗したりダニや虫等が住み着き不衛生である。
【特許文献１】実開昭５５−９６３９２号公報
【発明の開示】
【発明が解決しようとする課題】
【０００４】
解決しようとする問題点は、穀粒乾燥機の排風装置から発生する騒音を低減する消音装置内側の吸音材が、長期間の使用により乾燥排風に含まれる塵埃によって目詰まりを生じ吸音効果が低下したときに、簡単な操作で吸音材を取り出して清掃し塵埃を取り除くことによって、初期の消音効果を維持継続するとともに衛生状態を良好に保つことにある。
【課題を解決するための手段】
【０００５】
本発明の消音装置は、外筒と多数の通孔を設けた内筒との空間に吸音材を充填して吸音層を形成するとともに、軸線方向に複数に分割して排風装置ケーシングの排風側端部に、ケーシングを外側から挟み込むように形成し、更に充填した吸音材が抜け出ないように吸音層の一側端部に塞ぎ板を着脱自在に設け、吸音層内部に充填した吸音材を取り付け取り外し可能にしたことを特徴とする。
【発明の効果】
【０００６】
本発明の消音装置は、穀粒乾燥機の排風装置より複数に分割して取り外し、内筒の多孔部に付着した塵埃をブラシ等の清掃具で掃除できるほか、吸音層端部の塞ぎ板を取り外して内部に充填した吸音材を取り出し、水洗等の清掃をすることによって、吸音材の気孔部分に入り込んだ塵埃を取り除き、長期間にわたり初期の吸音効果を維持継続することができる。又、塵埃の除去と同時にダニや虫等も除去できるので衛生状態が良好に保たれるという利点がある。
【発明を実施するための最良の形態】
【０００７】
消音装置内部の吸音材を簡単に取り出して、清掃等保守手入れを可能にするという目的を、簡単な構成で大幅なコストアップを伴わずに実現した。
【実施例１】
【０００８】
図１は本発明の消音装置１２を取り付けた穀粒乾燥機１の背面側全体斜視図である。穀粒乾燥機１は一定量の籾、麦等穀粒を内部に貯留し、これを循環させながら機体正面側から適宜の手段で加熱した熱風又は、除湿した乾燥風を取込み、この乾燥風に循環する穀粒を晒して所定の水分まで乾燥する従来公知の循環型穀粒乾燥機であり、内部構造の詳細については説明を省略する。
【０００９】
消音装置１２は穀粒乾燥機１の背面側に設けられている排風箱２に組み付けられた排風装置３の吐出口１１側に接続され、消音装置１２の後端部には更に排風を遠方に排出するための、ビニール又は布製の排風ダクト１８を接続して使用することもある。１９は排風ダクト１８を締め付け固定する固定バンドである。
【００１０】
排風装置３は図２に示すように円筒形のケーシング４内にベルマウス形状の吸込口５を設け、内側ケーシング９内に固定した電動モーター８により複数の斜流羽根６を固着した斜流羽根車７を回転させるようになっている公知の斜流送風機であって、１０は排風の流れを整流するための案内羽根で、内側ケーシング９とケーシング４の間に複数箇所放射状に固着されている。
【００１１】
排風装置３の吐出口１１側に接続された、消音装置１２の内筒１４の内径は排風装置３の吸込口５内径と略同等程度とするが、排風装置３との接続側は適宜の傾斜で逆円錐筒状に広げ外筒１３に固着して排風の流れが円滑になるようにされている。
【００１２】
前記内筒１４は多数の通孔１５を設けた多孔板で形成し内筒１４と外筒１３の間にはグラスウール、又はウレタン樹脂発泡材等の吸音材１６を充填する。なお、吸音材１６はあらかじめ充填される形状に成形しておくと、取り付け取り外しがし易く清掃の際には大変便利である。１７は吸音材が抜け落ちないように消音筒後方端部の外筒及び内筒にねじ等で着脱自在に取り付ける塞ぎ板である。
【００１３】
そして消音装置１２は図３に示すように軸線方向に二分割されていて、排風装置３の吐出口１１側端部にケーシング４を挟み込むようにして、ねじ、ナット等の部材で接続固定されている。又、ケーシング４の吐出口１１側には外周に凸状の浮き出し部を設け、消音装置１２の外筒１３にはそれより少し大きめの凸状浮き出しを設けて挟み込み、二分割した消音装置１２を接合して一体化したときに簡単に抜け落ちないようにされている。
【００１４】
なお、図４の別実施例のように、消音装置１２の接合部は片側を回動自在且つ分離自在の引掛丁番２１で連結し、他側をレバー付掛具２２と係合受具２３で締結するように構成すれば工具等を用いずに取り付け取り外しができて便利である。
【００１５】
長期間使用後は消音装置１２の接合部のねじ、ナットを外して、分割し押さえ板１７を取り外せば、吸音材１６が取り出せるので、吸音材内部に入り込んだ塵埃等をきれいに掃除できる。また、内筒１４の通孔１５もブラシ等で簡単に掃除できて、消音装置１２の吸音効果及び衛生状態を長期にわたり良好に保つことができる。
【図面の簡単な説明】
【００１６】
【図１】本発明の消音装置を取り付けた穀粒乾燥機の背面側全体斜視図である。
【図２】吸引排風装置及び消音装置の側面断面図である。
【図３】消音装置の分割した状態の全体斜視図である。
【図４】消音装置の別実施例図である。
【符号の説明】
【００１７】
１    穀粒乾燥機
２    排風箱
３    排風装置
４    ケーシング
５    吸込口
６    斜流羽根
７    斜流羽根車
８    電動モーター
９    内側ケーシング
１０    案内羽根
１１    吐出口
１２    消音装置
１３    外筒
１４    内筒
１５    通孔
１６    吸音材
１７    塞ぎ板
１８    排風ダクト
１９    固定バンド
２１    引掛丁番
２２    レバー付掛具
２３    係合受具
【図１】
2006017314.tif 000003
【図２】
2006017314.tif 000004
【図３】
2006017314.tif 000005
【図４】
2006017314.tif 000006